(57)【要約】【課題】ビリヤードを１人でもプレイすることができ、コストを低減することができるビリヤード台を提供する。【解決手段】ビリヤード台１は、幅小部２と幅大部３とが長手方向Ｙに連設されて形成され、テーブル部４の幅方向Ｘの側部の辺２ａ〜４ａの内壁の縁部に沿って設けられ、短辺の１つを第１短辺１１とし第１短辺１１とは異なる短辺を第２短辺１２とした場合に、第１短辺側Ｙ１から第２短辺側Ｙ２に至るほど鉛直方向下側に向かって傾斜した溝６を備える。【選択図】図１
0003142623.tif 000002
【実用新案登録請求の範囲】
【請求項１】
テーブルの幅方向の側部の辺の内壁の縁部に沿って設けられ、短辺の１つを第１短辺とし前記第１短辺とは異なる短辺を第２短辺とした場合に、第１短辺側から第２短辺側に至るほど下側に向かって傾斜した溝を備えたビリヤード台。
【請求項２】
請求項１に記載のビリヤード台において、
前記テーブルは、前記第１短辺側の幅の小さい幅小部と、前記幅小部よりも幅の大きい幅大部とが、長手方向に連設されて形成されていること、
を特徴とするビリヤード台。
【請求項３】
請求項２に記載のビリヤード台において、
前記テーブル面を法線方向から見たときに、幅方向の側部の辺は、前記幅小部の辺と前記幅大部の辺とが斜辺により接続されていること、
を特徴とするビリヤード台。
【請求項４】
請求項１から請求項３までのいずれか１項に記載のビリヤード台において、
前記テーブルの内壁は、前記第１短辺側の内壁にのみクッションを備えること、
を特徴とするビリヤード台。
【考案の詳細な説明】
【技術分野】
【０００１】
本考案は、一人でプレイするのに適したビリヤード台に関するものである。
【背景技術】
【０００２】
従来から、ビリヤードを練習するためビリヤード台の技術が知られている。
例えば特許文献１には、テーブルの一部と、そのテーブルを延長した部分を表示するディスプレイと、ボールを表示するボールの位置を検出するセンサをテーブル面に設けたビリヤード台が開示されている。
しかし、特許文献１のビリヤード台等は、装置が大掛かりになるので、重量が重くなり、また高価なものとなり、プレイヤが気軽にプレイできるものではなかった。
【特許文献１】実開平６−４８７５３号公報
【考案の開示】
【考案が解決しようとする課題】
【０００３】
本考案の課題は、ビリヤードを１人でもプレイすることができ、またコストを低減することができるビリヤード台を提供することである。
【課題を解決するための手段】
【０００４】
本考案は、以下のような解決手段により、課題を解決する。なお、理解を容易にするために、本考案の実施形態に対応する符号を付して説明するが、これに限定されるものではない。また、符号を付して説明した構成は、適宜改良してもよく、また、少なくとも一部を他の構成物に代替してもよい。
【０００５】
請求項１の考案は、テーブル（４）の幅方向（Ｘ）の側部の辺（２ａ〜４ａ）の内壁の縁部に沿って設けられ、短辺の１つを第１短辺（１１）とし前記第１短辺とは異なる短辺を第２短辺（１２）とした場合に、第１短辺側（Ｙ１）から第２短辺側（Ｙ２）に至るほど鉛直方向下側に向かって傾斜した溝（６）を備えたビリヤード台である。
請求項２の考案は、請求項１に記載のビリヤード台において、前記テーブルは、前記第１短辺側の幅の小さい幅小部（２）と、前記幅小部よりも幅の大きい幅大部（３）とが、長手方向（Ｙ）に連設されて形成されて形成されていること、を特徴とするビリヤード台である。
請求項３の考案は、請求項２に記載のビリヤード台において、前記テーブル面を法線方向から見たときに、幅方向（Ｘ）の側部の辺は、前記幅小部（２）の辺（２ａ）と前記幅大部（３）の辺（３ａ）とが斜辺（４ａ）により接続されていること、を特徴とするビリヤード台である。
請求項４の考案は、請求項１から請求項３までのいずれか１項に記載のビリヤード台において、前記テーブル（４）の内壁は、前記第１短辺側（Ｙ１）の内壁にのみクッション（７）を備えること、を特徴とするビリヤード台である。
【考案の効果】
【０００６】
本考案によれば、以下の効果を奏することができる。
（１）本考案は、第１短辺側から第２短辺側に至るほど下側に向かって傾斜した溝を備えているため、溝に落ちたボールを、第１短辺側から第２短辺側へと自然に転がして移動させることができる。これにより、プレイヤは、第２短辺側に位置して、第１短辺側に向かってボールを突いたときにボールが溝に落ちた場合には、そのボールが第２短辺側に戻ってくるので、ボールを取りに行く手間を省くことができ、１人でも気軽にプレイ、練習することができる。
【０００７】
（２）本考案は、幅小部と幅大部とが長手方向に連設されて形成されているので、幅を小さくして小型にすることができるため、小スペースで設置することができ、またコストを低減することができる。さらに、複数のビリヤード台を互い違いに設置することにより、小スペースでも複数のプレイヤが同時にプレイすることができる。
【０００８】
（３）本考案は、幅小部の辺と幅大部の辺とが斜辺により接続されているので、溝を一定の傾斜で設けることができるため、構造を簡単にすることができる。また、プレイヤが第２短辺側に位置して、第１短辺側に向かってボールを突く場合に、そのプレイヤに圧迫感を与えることがない。
【０００９】
（４）本考案は、第１短辺側の内壁にのみクッションを備えるので、コストをより一層低減することができる。また、コストを低減しても、ブレークショットやクッションボール等の練習をすることができる機能を損なうことがない。
【考案を実施するための最良の形態】
【００１０】
本考案は、ビリヤードを１人でもプレイすることができ、コストを低減することができるビリヤード台を提供するという目的を、幅小部と幅大部とを長手方向に連設してビリヤード台を形成し、テーブル部の幅方向の側部の辺の内壁の縁部に沿って設けられ、第１短辺側から第２短辺側に至るほど鉛直方向下側に向かって傾斜した溝を備えることによって実現した。
【００１１】
（第１実施形態）
以下、図面等を参照して、本考案の第１実施形態について説明する。
図１は、第１実施形態ビリヤード台１の平面図（テーブル部４を法線方向から見た上面図）である。
図２は、第１実施形態ビリヤード台１の縦断面図（図１のII−II部矢視断面図）である。
なお、以下の説明において、ビリヤード台１の方向を示すために、ビリヤード台１の長手方向Ｙに直交する短辺の１つを第１短辺１１とし、その長手方向Ｙのうち第１短辺１１側を第１短辺側Ｙ１とする。同様に、第１短辺１１とは異なる短辺を第２短辺１２とし、その長手方向Ｙのうち第２短辺１２側を第２短辺側Ｙ２とする。
【００１２】
図１に示すように、ビリヤード台１は、幅小部２と幅大部３とが長手方向Ｙに連設されて形成されている。第１短辺側Ｙ１の幅Ｌ１は、第２短辺側Ｙ２の幅Ｌ２よりも小さい。なお、実施形態では、ビリヤード台１の脚部５（図２参照）よりも上側の板状の部分をテーブル部４という。テーブル部４の幅方向Ｘの側部の辺は、幅大部３の辺３ａと幅小部２の辺２ａとが、斜辺４ａにより接続されている。
ビリヤード台１は、長手方向Ｙの長さが、公式ビリヤード台と同様な長さであり、本実施形態では、競技用の９フィート（約２．７４ｍ）となっている。また、ビリヤード台１は、第１短辺１１の長さが公式ビリヤード台の三分の１程度であり、第２短辺１２の長さが公式ビリヤード台の二分の１程度である。
【００１３】
このような寸法設定により、ビリヤード台１は、小型化することができ、省スペースで設置することができる。これにより、例えば、公式ビリヤード台を置くスペースを有しないカフェバー等でも設置することができる。また、ビリヤード台１は、小型化にともなってコストを低減することができる。
【００１４】
ビリヤード台１は、溝６と、クッション７とを有している。
溝６は、辺２ａ〜４ａ内壁の縁部に沿って、テーブル部４の平面部４ｂよりも鉛直方向に低い位置に設けられている（図２参照）。溝６の底は、第１短辺側Ｙ１から第２短辺側Ｙ２に至るほど鉛直方向下側に向かうように、一定の角度で傾斜しており、平面部４ｂから落下したボールＢを、第２短辺側Ｙ２へと移動させる。
なお、ビリヤード台１は、幅小部２の辺２ａと幅大部３の辺３ａとが斜辺４ａにより接続され、溝６が長手方向Ｙに一定の角度（図２に示す角度θ参照）で傾斜するように形成される。これにより、ビリヤード台１は、ボールＢを溝６内で移動させる構造を簡単にすることができる。つまり、図１の２点鎖線内に示すように、辺２ａと辺３ａとを、幅方向Ｘに平行な辺４ｃにより接続した場合には、ボールＢを幅方向Ｘに移動させるために、辺４ｃよりも内側に位置する溝６ａに、幅方向Ｘに傾斜を設けなくてはならない。これに対して、ビリヤード台１は、長手方向Ｙに一定の傾斜を設けるということ簡単な構造で、斜辺４ａよりも内側の溝６にボールＢがあるときにも、移動することができる（矢印Ａ参照）。
【００１５】
クッション７は、テーブル部４の内壁のうち第１短辺１１の部分にのみ設けられている。後述するように、ビリヤード台１では、第１短辺側Ｙ１の内壁を利用してクッションボールをすることができ、また他の内壁は利用することが殆どない。つまり、ビリヤード台１は、ゴム等を設ける必要がありコストがかかるクッションを、最小限にすることにより、さらなるコストの低減を図っている。
また、ビリヤード台１は、羅紗が、テーブル部４の平面部４ｂ及びクッション７の部分にのみ張られており、同様にコストを低減することができる。なお、図１には、羅紗が張られているエリアを、ハッチングによって示す。
【００１６】
次に、ビリヤード台１の使用方法について説明する。
図１に示すように、プレイヤＰは、ボールＢを突くときは、第２短辺側Ｙ２に位置した状態で、長手方向Ｙの第１短辺側Ｙ１に向けて、スティックＳでボールＢを突く。ビリヤード台１には、斜辺４ａが設けられているので、このようにボールＢを突く場合でも、プレイヤＰに圧迫感や違和感を殆ど感じさせることがない。
このようにボールＢを突く場合、右利きのプレイヤＰは、通常、左手Ｐ１をセンター付近に乗せてブリッジを作り、プレイヤＰから見てビリヤード台１のセンターから左側（図中矢印Ｘ１側）の部分を主に使用する。このように突く体勢であれば、幅大部３の幅Ｌ２は、公式ビリヤード台の半分程度でも十分な大きさである。なお、図１に示すプレイヤＰは、右利きであるが、左利きのプレイヤの場合には、左右が対称となるだけで、同様にボールＢを突くことができる。
【００１７】
そして、ボールＢに横回転がかからず、かつボールＢが長手方向Ｙに真っ直ぐに進んだ場合には、ボールは、第１短辺１１の内側のクッション７に衝突して、クッションボールとして真っ直ぐ戻ってくる。
一方、ボールＢに横回転がかかったり、ボールＢが長手方向Ｙから傾いて進んだ場合には、第１短辺１１で角度がついて跳ね返るので溝６に落ちてしまったり、あるいは第１短辺１１に到達する前に溝６に落ちてしまう。
溝６は、第１短辺側Ｙ１から第２短辺側Ｙ２に至るほど下側に向かって傾斜しているため、溝６に落ちたボールＢは、プレイヤＰがいる方向に自然に転がって戻ってくる。これにより、プレイヤは、ボールを取りに行く手間を省くことができ、一人でも簡単に気軽に練習することができる。
ビリヤード台１は、このように使用することにより、ビリヤードゲームでの先行を決めるバンキングやブレークショット等の練習をすることができる。
【００１８】
図３は、第１実施形態のビリヤード台１を３台、互い違いに設置した状態の平面図である。
ビリヤードという競技は、練習等をする場合であっても、プレイヤ１人につき１台のビリヤード台が必要になる。公式ビリヤード台は、サイズが大きく、しかもビリヤード台同士を離して設置する必要があるので、複数のビリヤード台を設置するには、大きなスペースが必要である。また、公式ビリヤード台は、重量が重いので、設置する床等は、撓んだりしないしっかりしたものでなくてはいけない。
【００１９】
これに対して、ビリヤード台１は、幅方向Ｘが小さいので、複数台のビリヤード台１が接するように配置することにより、小スペースでも複数のプレイヤＰが同時にプレイすることができる。また、ビリヤード台１は、小型化にともない重量が軽いので、公式ビリヤード台を設置する場合よりも、床の強度等の条件を緩和できる。
【００２０】
ところで、従来、ビリヤードには、１人で手軽にプレイしたいとか、低料金で練習をしたいとか、台の待ち時間等に練習したい等というニーズもあった。ビリヤード台１は、小さい設置スペースにすることができるので、ビリヤード場の経営者等は、プレイ料金を低額に設定でき、また、空きスペースにビリヤード台１を設置して、台の待ち時間等にプレイヤに貸すことができ、このようなニーズに応えることができる。
さらに、ビリヤード台１は、コストを低減して製造でき販売価格を抑えることができるので、プレイヤＰは、自ら購入しても負担が少ない。
【００２１】
以上説明したように、ビリヤード台１は、小型化できるので、小スペースで設置することができ、またコストを低減することができる。さらに、プレイヤＰは、１人でも気軽にプレイすることがでる。
【００２２】
（第２実施形態）
次に、本考案を適用したビリヤード台の第２実施形態について説明する。
なお、以下の説明及び図面において、前述した第１実施形態と同様の機能を果たす部分には、同一の符号又は末尾に同一の符号を付して、重複する説明を適宜省略する。
図４は、第２実施形態のビリヤード台２００の平面図（上面図）である。
ビリヤード台２００は、第１実施形態のビリヤード台１から、プレイヤＰから見て幅大部３（図１参照）の右側（図中矢印Ｘ２側）の突出部を削除したものである。この削除した部分は、右利きのプレイヤＰがプレイする場合、殆ど利用することがないので、ビリヤード台２００は、右利きのプレイヤＰに適したものとすることができる。
このように、ビリヤード台２００は、突出部の一部を削除したことにより、さらに小型化、軽量化をすることができる。
なお、左利きのプレイヤ用には、第１実施形態のビリヤード台１から、プレイヤＰから見て幅大部３（図１参照）の左側（図中矢印Ｘ１側）の突出部を削除すればよい。
【００２３】
以上、本考案の実施形態について説明したが、本考案は前述した実施形態に限定されるものではなく、後述する変形形態のように種々の変形や変更が可能であって、それらも本考案の技術的範囲内である。また、実施形態に記載した効果は、本考案から生じる最も好適な効果を列挙したに過ぎず、本考案による効果は、実施形態に記載したものに限定されない。なお、前述した各実施形態は、適宜組み合わせて用いることもできるが、詳細な説明は省略する。
【図面の簡単な説明】
【００２４】
【図１】第１実施形態のビリヤード台の平面図（上面図）である。
【図２】第１実施形態のビリヤード台の縦断面図（図１のII−II部矢視断面図）である。
【図３】第１実施形態のビリヤード台を３台、互い違いに設置した状態の平面図である。
【図４】第２実施形態のビリヤード台の平面図（上面図）である。
【符号の説明】
【００２５】
１，２００  ビリヤード台
２  幅小部
２ａ，３ａ  辺
３  幅大部
４  テーブル部
４ａ  斜辺
４ｂ  平面部
６  溝
７  クッション
１１  第１短辺
１２  第２短辺
【図１】
0003142623.tif 000003
【図２】
0003142623.tif 000004
【図３】
0003142623.tif 000005
【図４】
0003142623.tif 000006